(57)【要約】【課題】複数の被収納装置をそれらの並び順や収納方向をユーザが意識することなく収納装置に収納しても、各被収納装置の収納位置を管理することができる収納位置検出システムを得ること。【解決手段】複数の被収納装置１０Ａと、該複数の被収納装置を収納する収納装置２０Ａとを備えた収納位置検出システム３０Ａを構成するにあたり、被収納装置には、発光素子と、受光素子と、発光コマンドが応じて発光素子を発光させ、受光素子で受光したときには面情報と識別情報とを収納装置に送る主回路部３とを設け、収納装置には、各被収納装置に収納位置検出開始コマンドを一斉に送ったときに特定の被収納装置から送られてくる面情報および識別情報、ならびに各被収納装置に所定の発光コマンドを一斉に送ったときに特定の被収納装置から送られてくる面情報および識別情報を用いて複数の被収納装置それぞれの収納位置を特定する収納位置識別部１８を設ける。【選択図】図４
2009051079.tif 000002
【特許請求の範囲】
【請求項１】
複数の被収納装置と、該複数の被収納装置を収納する収納装置とを備え、前記収納装置と該収納装置に収納された被収納装置との間で信号の授受を行うことができる収納位置検出システムであって、
前記複数の被収納装置の各々は、
互いに平行な２つの面と、
該２つの面の各々に配置された発光素子および受光素子と、
前記収納装置から発光コマンドが送られてきたときには前記２つの面のうちの所定の面に配置された発光素子を発光させ、前記２つの面の各々に配置されている前記受光素子のいずれかが受光したときには該受光素子が配置されている面を示す面情報と該被収納装置の識別情報とを前記収納装置に送る主回路部と、
を有し、
前記収納装置は、
隣り合う２つの被収納装置での一方の被収納装置の発光素子と他方の被収納装置の受光素子とが互いに対向する向きで前記複数の被収納装置を整列させて収納する収納部と、
該収納部に整列して収納された複数の被収納装置のうちで最も外側に位置する１つの被収納装置に該被収納装置の外側から光を照射したときに送られてくる前記面情報および前記識別情報と、前記複数の被収納装置に所定の被収納装置の発光素子の発光を指示する発光コマンドを一斉に送ったときに特定の被収納装置から送られてくる前記面情報および前記識別情報とを用いて、前記複数の被収納装置それぞれの収納位置を特定する収納位置識別部と、
を有する、
ことを特徴とする収納位置検出システム。
【請求項２】
前記収納装置は、外光が入射したときに該外光を透過させる光学窓を更に有し、
該光学窓は、前記収納部に収納された被収納装置のうちで最も近接する被収納装置の前記受光素子と互いに対向することを特徴とする請求項１に記載の収納位置検出システム。
【請求項３】
前記収納装置は開閉可能な扉部を更に有し、
該扉部を開状態としたときには前記光学窓に外光が入射し、前記扉部を閉状態としたときには前記光学窓に外光が入射しないことを特徴とする請求項２に記載の収納位置検出システム。
【請求項４】
前記複数の被収納装置の各々は、該被収納装置をその厚さ方向に貫通する孔状端子部を更に有し、
前記収納装置は、前記孔状端子部に通される柱状端子部を更に有し、
前記複数の被収納装置の各々と前記収納装置とは、前記孔状端子部と前記柱状端子部とを介して信号の授受を行うことを特徴とする請求項１〜３のいずれか１つに記載の収納位置検出システム。
【請求項５】
前記複数の被収納装置の各々は、表示データに基づいて所定の画像を表示する表示部を更に有し、
前記収納装置は、前記複数の被収納装置の各々に前記表示データを送ることができることを特徴とする請求項１〜４のいずれか１つに記載の収納位置検出システム。
【請求項６】
前記信号と前記表示データとは、前記収納装置から前記被収納装置に同じ伝搬経路を経て送られることを特徴する請求項７に記載の収納位置検出システム。
【請求項７】
前記表示部は、表示した画像を無電源状態で保持することができることを特徴とする請求項５または６に記載の収納位置検出システム。
【請求項８】
前記複数の被収納装置の各々は、ディスク状のリムーバブルメディアを収納可能なケース状物であり、
前記収納装置の前記収納部は棚状を呈する、
ことを特徴とする請求項１に記載の収納位置検出システム。
【請求項９】
前記収納装置は、上位装置と有線または無線により通信を行う通信部を更に有することを特徴とする請求項１〜８のいずれか１つに記載の収納位置検出システム。
【発明の詳細な説明】
【技術分野】
【０００１】
本発明は、収納装置に収納された複数の被収納装置それぞれの位置を検出することができる収納位置検出システムに関する。
【背景技術】
【０００２】
今日では、電子ペーパの開発の進展に伴って、複数の電子ペーパを効率的に管理するシステムも提案されている。例えば（特許文献１）には、複数の電子ペーパを所定構造のバインダに綴じ、バインダから所望の電子ペーパに信号を送信して当該電子ペーパの表示部に所望の画像を表示させることができる電子ブックが記載されている。
【０００３】
また、（特許文献２）には、データ記憶部に格納された情報を表示パネルに表示することができる紙状の情報担体（電子ペーパを用いた情報担体）をバインダ形式の処理ユニットに複数枚綴じ、各情報担体を識別コードにより識別して処理ユニットと所望の情報担体との間で情報を入出力し、当該情報担体に所定の情報を表示させる情報表示装置が記載されている。
【特許文献１】特開２００２−１６９１９０号公報
【特許文献２】特開２００５−１８１４３６号公報
【発明の開示】
【発明が解決しようとする課題】
【０００４】
しかしながら、（特許文献１）に記載された電子ブックや（特許文献２）に記載された情報表示装置では、所望の電子ペーパまたは情報担体をバインダまたは処理ユニットから取り外して他で利用し、その後に再びバインダまたは処理ユニットに綴じるときに当該電子ペーパまたは情報担体の綴じ順を最初の綴じ順から変えてしまうと、その後に電子ペーパまたは情報担体に情報を書き込むときにページ順が変わってしまう。
【０００５】
勿論、全ての電子ペーパまたは情報担体にページ番号を表示する機能を付加し、ユーザがページ番号を確認しながらバインダまたは処理ユニットに電子ペーパまたは情報担体をページ順に綴じるようにすれば、電子ブックまたは情報表示装置でページ順が狂ってしまうのを防止し易くなるが、電子ペーパまたは情報担体を常にページ順に綴じるという作業はユーザにとっては煩雑な作業である。しかも、綴じ直す前にページ番号の表示を消すとそのページ順がわからなくなるため、綴じていないときには電子ペーパまたは情報担体に格納されている全ての表示情報を消去するわけにはゆかなくなり、利便性や情報セキュリティが低下する。
【０００６】
さらに、両面表示が可能で、かつ綴じる方向を選ばない電子ペーパや情報担体では、綴じる方向によっては表と裏が入れ替わってしまうこともある。
【０００７】
本発明は上記の事情に鑑みてなされたものであり、複数の被収納装置をそれらの並び順や収納方向をユーザが意識することなく収納装置に収納しても、各被収納装置の収納位置を管理することができる収納位置検出システムを得ることを目的とする。
【課題を解決するための手段】
【０００８】
本発明の収納位置検出システムは、複数の被収納装置と、該複数の被収納装置を収納する収納装置とを備え、収納装置と該収納装置に収納された被収納装置との間で信号の授受を行うことができる収納位置検出システムであって、複数の被収納装置の各々は、互いに平行な２つの面と、該２つの面の各々に配置された発光素子および受光素子と、収納装置から発光コマンドが送られてきたときには上記２つの面のうちの所定の面に配置された発光素子を発光させ、上記２つの面の各々に配置されている受光素子のいずれかが受光したときには該受光素子が配置されている面を示す面情報と該被収納装置の識別情報とを前記収納装置に送る主回路部とを有し、記収納装置は、隣り合う２つの被収納装置での一方の被収納装置の発光素子と他方の被収納装置の受光素子とが互いに対向する向きで前記複数の被収納装置を整列させて収納する収納部と、該収納部に整列して収納された複数の被収納装置のうちで最も外側に位置する１つの被収納装置に該被収納装置の外側から光を照射したときに送られてくる面情報および識別情報と、複数の被収納装置に所定の被収納装置の発光素子の発光を指示する発光コマンドを一斉に送ったときに特定の被収納装置から送られてくる面情報および識別情報とを用いて、複数の被収納装置それぞれの収納位置を特定する収納位置識別部とを有することを特徴とする。
【発明の効果】
【０００９】
本発明の収納位置検出システムでは、被収納装置における上記２つの面に発光素子と受光素子とがそれぞれ設けられ、被収納装置における一方の発光素子を発光させたときに当該発光子の発光を受光子で受光した被収納装置からは、上記の面情報と識別情報とが収納装置に送られてくるので、ある被収納装置の発光子を発光させることにより、その隣の被収納装置と該被収納装置の収納方向とを識別することができる。そして、当該識別操作を繰り返すことにより、各被収納装置の収納位置および収納方向を特定することができる。このため、ユーザは各被収納装置の並び順や収納方向を意識することなく収納装置に収納することができ、利便性が高い。
【発明を実施するための最良の形態】
【００１０】
第１の発明の収納位置検出システムは、複数の被収納装置と、該複数の被収納装置を収納する収納装置とを備え、収納装置と該収納装置に収納された被収納装置との間で信号の授受を行うことができる収納位置検出システムであって、複数の被収納装置の各々は、互いに平行な２つの面と、該２つの面の各々に配置された発光素子および受光素子と、収納装置から発光コマンドが送られてきたときには上記２つの面のうちの所定の面に配置された発光素子を発光させ、上記２つの面の各々に配置されている受光素子のいずれかが受光したときには該受光素子が配置されている面を示す面情報と該被収納装置の識別情報とを収納装置に送る主回路部とを有し、収納装置は、隣り合う２つの被収納装置での一方の被収納装置の発光素子と他方の被収納装置の受光素子とが互いに対向する向きで複数の被収納装置を整列させて収納する収納部と、該収納部に整列して収納された複数の被収納装置のうちで最も外側に位置する１つの被収納装置に該被収納装置の外側から光を照射したときに送られてくる面情報および識別情報と、複数の被収納装置に所定の被収納装置の発光素子の発光を指示する発光コマンドを一斉に送ったときに特定の被収納装置から送られてくる面情報および識別情報とを用いて、複数の被収納装置それぞれの収納位置を特定する収納位置識別部とを有することを特徴とする。
【００１１】
この収納位置検出システムでは、被収納装置における上記２つの面に発光素子と受光素子とがそれぞれ設けられ、被収納装置における一方の発光素子を発光させたときに当該発光子の発光を受光子で受光した被収納装置からは、上記の面情報と識別情報とが収納装置に送られてくるので、ある被収納装置の発光子を発光させることにより、その隣の被収納装置と該被収納装置の収納方向とを識別することができる。そして、当該識別操作を繰り返すことにより、各被収納装置の収納位置および収納方向を特定することができる。このため、ユーザは各被収納装置の並び順や収納方向を意識することなく収納装置に収納することができ、利便性が高い。
【００１２】
第２の発明の収納位置検出システムは、上述した第１の発明の収納位置検出システムに含まれるものであり、収納装置は、外光が入射したときに該外光を透過させる光学窓を更に有し、該光学窓は、収納部に収納された被収納装置のうちで最も近接する被収納装置の受光素子と互いに対向することを特徴とする。この収納位置検出システムでは、最も端の被収納装置の受光素子に光学窓を介して外光を入射させることができるので、収納装置に発光素子を設けなくても最も端の被収納装置を識別することが可能である。
【００１３】
第３の発明の収納位置検出システムは、上述した第２の発明の収納位置検出システムに含まれるものであり、収納装置は開閉可能な扉部を更に有し、該扉部を開状態としたときには上記の光学窓に外光が入射し、扉部を閉状態としたときには上記の光学窓に外光が入射しないことを特徴とする。この収納位置検出システムでは、扉部を開閉することにより光学窓への外光の入射を制御することができるので、不所望の時期に最も端の被収納装置の受光素子に外光が入射してしまうのを容易に防止することができる。
【００１４】
第４の発明の収納位置検出システムは、上述した第１〜３の発明の収納位置検出システムに含まれるものであり、複数の被収納装置の各々は、該被収納装置をその厚さ方向に貫通する孔状端子部を更に有し、収納装置は、孔状端子部に通される柱状端子部を更に有し、複数の被収納装置の各々と収納装置とは、孔状端子部と柱状端子部とを介して信号の授受を行うことを特徴とする。この収納位置検出システムでは、被収納装置に孔状端子部が設けられており、収納装置に柱状端子部が設けられているので、その形態をバインダ型とすることが容易である。
【００１５】
第５の発明の収納位置検出システムは、上述した第１〜４の発明の収納位置検出システムに含まれるものであり、複数の被収納装置の各々は、表示データに基づいて所定の画像を表示する表示部を更に有し、収納装置は、複数の被収納装置の各々に表示データを送ることができることを特徴とする。この収納位置検出システムでは、表示部を有する被収納装置についても収納位置および収納方向を特定することができると共に、被収納装置に表示させる画像を収納装置で指定することができるので、その用途が拡がる。
【００１６】
第６の発明の収納位置検出システムは、上述した第５の発明の収納位置検出システムに含まれるものであり、前述の信号と表示データとは、収納装置から被収納装置に同じ伝搬経路を経て送られることを特徴する。この収納位置検出システムでは、前述の信号と表示データとを収納装置から被収納装置に同じ伝搬経路を経て送るので、システムの構成を簡略化することができる。
【００１７】
第７の発明の収納位置検出システムは、上述した第５または６の発明の収納位置検出システムに含まれるものであり、表示部は、表示した画像を無電源状態で保持することができることを特徴とする。この収納位置検出システムでは、被収納装置の表示部に表示させた画像を無電源状態で保持することができるので、省電力化を図り易い。
【００１８】
第８の発明の収納位置検出システムは、前述した第１の発明の収納位置検出システムに含まれるものであり、複数の被収納装置の各々は、ディスク状のリムーバブルメディアを収納可能なケース状物であり、収納装置の収納部は棚状を呈することを特徴とする。この収納位置検出システムでは、被収納装置が上述のケース状物であり、収納装置の収納部が棚状であるので、ディスク状のリムーバブルメディアを収納した被収納装置を収納装置に収納することにより、複数のリムーバブルメディアを管理することが可能になる。
【００１９】
第９の発明の収納位置検出システムは、上述した第１〜８の発明の収納位置検出システムに含まれるものであり、収納装置は、上位装置と有線または無線により通信を行う通信部を更に有することを特徴とする。この収納位置検出システムでは、収納装置と上位装置とが通信を行うことができるので、被収納装置の収納位置および収納方向を特定すること以外に、より複雑な制御やデータベース化等を行い易い。
【００２０】
以下、本発明の収納位置検出システムの実施の形態について、図面を用いて詳細に説明する。なお、本発明は以下に説明する実施の形態に限定されるものではなく、下記の実施の形態以外にも種々の変形、修飾、組合せ等が可能である。
【００２１】
（実施の形態１）
図１は、本発明の収納位置検出システムの一例を概略的に示す概念図である。同図において、１０ａ〜１０ｎは被収納装置、２０は収納装置、３０は収納位置検出システムである。図示の収納位置検出システム３０は、複数の被収納装置１０ａ〜１０ｎと、これらの被収納装置１０ａ〜１０ｎを収納する収納装置２０とを備えており、上記複数の被収納装置１０ａ〜１０ｎは整列した状態で収納装置２０に収納される。
【００２２】
各被収納装置１０ａ〜１０ｎと収納装置２０とは、互いに信号の授受を行うことができる。各被収納装置１０ａ〜１０ｎは、収納装置２０に収納された状態下で、隣の被収納装置に向けて信号を発する機能と隣の被収納装置から発せられた信号を受信する機能とを有していると共に、隣の被収納装置から発信された信号を受信したときに所定の情報を収納装置２０に送る機能とを有している。また、収納装置２０は、特定の被収納装置に隣の被収納装置に向けて信号を発する指令を出したときに所定の被収納装置から送られてくる情報を基に、上記の指令の送り先の被収納装置と上記の情報を送ってきた被収納装置との相対的な位置関係を特定する機能を有している。
【００２３】
このような構成を有する収納位置検出システム３０は、個々の被収納装置１０ａ〜１０ｎの並び順や収納方向をユーザが意識することなく当該被収納装置１０ａ〜１０ｎを収納装置２０に収納しても、各被収納装置１０ａ〜１０ｎの収納位置を検出してこれらの被収納装置１０ａ〜１０ｎを管理することができるものである。以下、図２〜図５を参照して、収納位置検出システム３０を具体的に説明する。
【００２４】
図２（ａ）〜図２（ｄ）は、上述した収納位置検出システム３０の一例を概略的に示す構成図であり、図３（ａ）〜図３（ｃ）は当該収納位置検出システムで用いられる被収納装置を示す概略図である。
【００２５】
図２（ａ）〜図２（ｄ）において、１は表示部、３は主回路部、５は孔状端子部、７は受発光素子ユニット、１０Ａは被収納装置、１１は表紙部、１１ｄは表ラベル表示部、１３は裏表紙部、１５は背表紙部、１５ｄは背ラベル表示部、１７はバインディング部、１７ａは中空円柱状端子金具、１７ｂは綴じ金具、ｐは棒状突起、１７ｃは固定金具、ＯＷ1，ＯＷ2は光学窓、２０Ａは収納装置、３０Ａは収納位置検出システムである。
【００２６】
また、図３（ａ）〜図３（ｃ）において、１は表示部、３は主回路部、３Ｃは接触子、５は孔状端子部、７は受発光素子ユニット、７ｅは発光素子、７ｒは受光素子、７ｓ1，７ｓ2は遮光帯である。
【００２７】
図２（ａ）〜図２（ｄ）に示す収納位置検出システム３０Ａは、複数の被収納装置１０Ａと、１つの収納装置２０Ａとを備えている（図２（ａ）参照）。各被収納装置１０Ａは、表示データに基づいて画像を表示する表示機能と、表示した画像を無電源状態で保持する画像保持機能とを有する電子ペーパ状の装置であり（図２（ｄ）および図３（ａ）参照）、収納装置２０Ａは表紙部１１、裏表紙部１３、背表紙部１５、およびバインディング部１７を具備したバインダ型の装置である（図２（ａ）および図２（ｂ）参照）。
【００２８】
収納位置検出システム３０Ａを構成する個々の被収納装置１０Ａは、互いに平行な２つの面（以下、一方の面「Ａ面」と表記し、他方の面を「Ｂ面」と表記する。）を有し、各面には表示部が配置されている。図２（ｄ）および図３（ａ）に示すように、各被収納装置１０Ａは表示部１を中心として構成されており、該被収納装置１０Ａにおける一辺側には主回路部３が配置され、主回路部３を平面視したときの中央付近には当該被収納装置１０Ａの中心から等距離になるようにして２つの孔状端子部５が設けられている。これら孔状端子部５，５は、収納装置２０Ａに電気的に接続される接触子３Ｃを構成している。一方の孔状端子部５と他方の孔状端子部５との間には、発光ダイオード等の発光素子７ｅとフォトダイオード等の受光素子７ｒとを有する受発光素子ユニット７が配置されている。受発光素子ユニット７は、被収納装置１０ＡのＡ面側およびＢ面側にそれぞれ１つずつ配置されている。
【００２９】
各受発光素子ユニット７での発光素子７ｅの発光面と受光素子７ｒの受光面とは、主回路部３の表面よりわずかに窪んだ位置にある。また、個々の受発光素子ユニット７では、発光素子７ｅと受光素子７ｒとの間に図３（ｂ）に示すように遮光帯７ｓ1が配置されている。各受発光素子ユニット７では、該受発光素子ユニット７をこのように構成することで、発光素子７ｅから出射した光が当該受発光素子ユニット７の受光素子７ｒに入射してしまうのを防止している。
【００３０】
また、図３（ｂ）中のIIIｃ−IIIｃ線に沿った断面を図３（ｃ）に概略的に示すように、Ａ面側の発光素子７ｅの裏面には、遮光帯７ｓ2を介してＢ面側の受光素子ユニット７での受光素子７ｒが配置されている。図示を省略するが、Ａ面側の受光素子の裏面には、遮光帯を介してＢ面側の受光素子ユニット７での発光素子が配置されている。
【００３１】
したがって、被収納装置１０Ａでは、Ａ面側の表示部１およびＢ面側の表示部１のどちらを上にしたときも、各孔状端子部５、発光素子７ｅ、および受光素子７ｒの相対的な位置関係が一定である。ただし、１つの被収納装置１０Ａに設けられている２つの発光素子７ｅ，７ｅは、一方がＡ面側の発光素子として識別され、他方がＢ面側の発光素子として識別されて、当該被収納装置１０Ａを管理する際には後述する面情報により明確に区別される。同様に、１つの被収納装置１０Ａに設けられている２つの受光素子７ｒ，７ｒも、当該被収納装置１０Ａを管理する際には一方がＡ面側の受光素子、他方がＢ面側の受光素子として識別されて、後述する面情報により明確に区別される。
【００３２】
なお、図３（ａ）および図３（ｂ）では発光素子７ｅと受光素子７ｒとをこれらの開口面積がほぼ等しくなるように描いているが、発光素子７ｅでの開口面積と受光素子７ｒでの開口面積とは互いに異なっていてもよい。ただし、収納装置２０Ａに複数の被収納装置１０Ａを収納したときには、隣り合う被収納装置１０Ａ同士で発光素子７ｅと受光素子７ｒとが互いに対向することが好ましい。
【００３３】
一方、図２（ａ）に示すように、収納装置２０Ａの表紙部１１には表ラベル表示部１１ｄが、また背表紙部１５には背ラベル表示部１５ｄがそれぞれ設けられている。図２（ｂ）に示すように、表紙部１１は開閉可能に構成されて収納装置２０Ａでの扉部として機能し、背表紙部１５の内側表面上にはバインディング部１７が取り付けられている。このバインディング部１７は複数の被収納装置１０Ａを整列させて収納する収納部として機能する部位であり、パイプ式のバインダファイル構造を有している。すなわち、当該バインディング部１７は、２本の中空円柱状端子金具１７ａ，１７ａと、中空円柱状端子金具１７ａに挿入される２本の棒状突起ｐ，ｐを有する綴じ金具１７ｂ（図２（ｃ）参照）と、綴じ金具１７ｂを固定する固定金具１７ｃとを有している。
【００３４】
各中空円柱状端子金具１７ａは裏表紙部１３に取り付けられており、被収納装置１０Ａを収納する際には、該被収納装置１０Ａに形成されている孔状端子部５，５に当該中空円柱状端子金具１７ａ，１７ａを通した後に、綴じ金具１７ｂの各棒状突起ｐが中空円柱状端子金具１７ａ，１７ａに挿入され、その後に当該綴じ金具１７ｂが固定金具１７ｃにより固定される。
【００３５】
バインディング部１７に被収納装置１０Ａを複数収納したときに、最も上の被収納装置１０Ａでの上面側（表紙部１１側）の受光素子７ｒに外光を照射することができるように、綴じ金具１７ｂには光学窓ＯＷ1が、また固定金具１７ｃには光学窓ＯＷ2がそれぞれ形成されている。
【００３６】
このような構造を有する収納位置検出システム３０Ａにおける各被収納装置１０Ａは、収納装置２０Ａに収納された状態下で、隣の被収納装置１０Ａに向けて信号を発する機能と隣の被収納装置１０Ａから発せられた信号を受信する機能とを有していると共に、隣の被収納装置１０Ａから発信された信号を受信したときに所定の情報を収納装置２０Ａに送る機能とを有している。また、収納装置２０Ａは、特定の被収納装置１０Ａに隣の被収納装置１０Ａに向けて信号を発する指令を出したときに所定の被収納装置１０Ａから送られてくる情報を基に、上記の指令の送り先の被収納装置１０Ａと上記の情報を送ってきた被収納装置１０Ａとの相対的な位置関係を特定する機能を有している。
【００３７】
そのため、個々の被収納装置１０Ａの並び順や収納方向をユーザが意識することなく当該被収納装置１０Ａを収納装置２０Ａに収納しても、各被収納装置１０Ａの収納位置を検出してこれらの被収納装置１０Ａを管理することができる。
【００３８】
このような技術的効果を奏する被収納装置１０Ａおよび収納装置２０Ａは、それぞれ種々の構成をとることができる。以下、図４および図５を参照して、被収納装置１０Ａおよび収納装置２０Ａそれぞれの具体的構成について説明する。
【００３９】
図４は、図２（ａ）に示した収納位置検出システム３０Ａの構成例を示す機能ブロック図である。図４において、１は表示部、３は主回路部、３Ａは中央演算処理装置（以下、「ＣＰＵ３Ａ」と略記する）、３ＢはＲＯＭ（Ｒｅａｄ  Ｏｎｌｙ  Ｍｅｍｏｒｙ）／ＲＡＭ（Ｒａｎｄｏｍ  Ａｃｃｅｓｓ  Ｍｅｍｏｒｙ）、３Ｃは接触子、３Ｄはデータインタフェース回路部（図４においては「データＩＦ部」と表記している）、３Ｅは電源回路部、３Ｆは蓄電池、３Ｇは発光回路部、３Ｈは受光回路部、ＰＬ1は電源ライン、Ｂ1はバス、９は記録制御回路部、１０Ａは被収納装置である。また、１８は収納位置識別部、１８ＡはＣＰＵ、１８ＢはＲＯＭ／ＲＡＭ、１８Ｃは接触子、１８Ｄは接続制御回路部、１８Ｅは電源回路部、１８Ｆは蓄電池、１８Ｇは操作部、ＰＬ2は電源ライン、Ｂ2はバス、２０Ａは収納装置、３０Ａは収納位置検出システムである。
【００４０】
図４に示す被収納装置１０Ａは、前述の表示部１、主回路部３、接触子３Ｃ、および受発光素子ユニット（図４においては図示せず）を備えており、これらの他に記録制御回路部９も備えている。上記の接触子３Ｃは主回路部３の一部を構成しており、当該主回路部３には、接触子３Ｃ以外にも、ＣＰＵ３Ａ、記憶部としてのＲＯＭ／ＲＡＭ３Ｂ、データインタフェース回路部３Ｄ（以下、「データＩＦ部３Ｄ」と略記する）、電源回路部３Ｅ、蓄電池３Ｆ、発光回路部３Ｇ、受光回路部３Ｈ、電源ラインＰＬ1、およびバスＢ1が設けられている。
【００４１】
図４には１個の表示部１しか現れていないが、前述のように、被収納装置１０ＡにはＡ面側およびＢ面側にそれぞれ表示部１が配置されている。例えば、電気泳動方式や磁気泳動方式の電子ペーパが表示部１として用いられる。当該方式の電子ペーパは、対向配置した２枚のシートの間に所定の現像剤、すなわち光学的反射濃度や色が異なる１種類もしくは複数種類の帯電性微粒子を内包した現像剤を充填し、現像剤に電界もしくは磁界を印加することで当該現像剤を移動させて所望の表示を行うものであり、上記２枚のシートの少なくとも一方として光透過性シートが用いられる。勿論、他の方式の電子ペーパ、例えばツイスティングボール方式、双安定性液晶方式、ＣＮ（カイラルネマチック）液晶方式、トナーディスプレイ方式、電子粉流体方式等の電子ペーパを表示部１として用いることもできる。電子ペーパにより表示部１を構成すると、当該表示部１に表示させた画像をその後は電力を殆ど消費することなく無電源状態で保持することができる。
【００４２】
主回路部３を構成するＣＰＵ３Ａは、ＲＯＭ／ＲＡＭ３Ｂに格納された制御プログラムに従って各部の動作を制御する。ＲＯＭ／ＲＡＭ３Ｂは記憶装置であり、上記の制御プログラムが格納される他に、収納装置２０Ａ（図２（ａ）参照）から供給される表示データ、被収納装置１０Ａを識別する識別情報（以下、「ＩＤ情報」という）、個々の発光素子７ｅおよび受光素子７ｒ（図３（ｂ）および図３（ｃ）参照）がＡ面側の素子であるかＢ面側の素子であるかを表す面情報等も格納される。
【００４３】
データＩＦ部３Ｄは、例えばハイパスフィルタを用いて構成されて、接触子３Ｃが２個の孔状端子部５，５によって収納装置２０Ａから受けた交流信号を復調し、上記の交流信号からデジタル信号を抽出する。電源回路部３Ｅは、被収納装置１０Ａで使用する一定電圧の電力を作り出して電源ラインＰＬ1に出力し、蓄電池３Ｆは例えば着脱自在に電源回路部３Ｅに接続されて、電源回路部３Ｅの電源として機能する。
【００４４】
発光回路部３Ｇは、２つの発光素子７ｅ（図４においては図示せず。図３（ｂ）参照）と各発光素子用の駆動回路とを有しており、ＣＰＵ３Ａからの発光コマンドに応じて所定の時期に所定の発光素子７ｅを発光させる。個々の発光素子７ｅから変調された光を出射させることができるように、発光回路部３Ｇには必要に応じて変調回路が設けられる。
【００４５】
受光回路部３Ｈは、２つの受光素子７ｒ（図４においては図示せず。図３（ｂ）参照）と各受光素子７ｒでの受光量に応じた電気信号を受光素子７ｒ毎に作り出す変換回路とを有している。受光素子７ｒにより変調した光を受光したときでも受光回路部３Ｈによって所定の電気信号を作り出すことができるように、当該受光回路部３Ｈには必要に応じて復調回路が設けられる。
【００４６】
記録制御回路部９は、収納装置２０Ａから送られてくる表示データに基づいて表示部１に画像を表示させる際の駆動信号を作成する。上述のＣＰＵ３Ａ、ＲＯＭ／ＲＡＭ３Ｂ、データＩＦ部３Ｄ、電源回路部３Ｅ、発光回路部３Ｇ、受光回路部３Ｈ、および記録制御回路部９は電源ラインＰＬ1に接続されており、ＣＰＵ３Ａ、ＲＯＭ／ＲＡＭ３Ｂ、データＩＦ部３Ｄ、発光回路部３Ｇ、受光回路部３Ｈ、および記録制御回路部９はバスＢ1に接続されている。
【００４７】
一方、図４に示す収納装置２０Ａは、前述した表紙部１１（図示せず）、表ラベル表示部１１ｄ、裏表紙部１３（図示せず）、背表紙部１５（図示せず）、背ラベル表示部１５ｄ、バインディング部１７の他に、収納位置識別部１８を具備している。
【００４８】
上記の収納位置識別部１８は、ＣＰＵ１８Ａと、ＲＯＭ／ＲＡＭ１８Ｂと、接触子１８Ｃと、接続制御回路部１８Ｄと、電源回路部１８Ｅと、蓄電池１８Ｆと、操作部１８Ｇと、電源ラインＰＬ2と、バスＢ2とを有している。表ラベル表示部１１ｄ、背ラベル表示部１５ｄ、ＣＰＵ１８Ａ、ＲＯＭ／ＲＡＭ１８Ｂ、接続制御回路部１８Ｄ、電源回路部１８Ｅ、および操作部１８Ｇは電源ラインＰＬ2に接続されており、表ラベル表示部１１ｄ、背ラベル表示部１５ｄ、ＣＰＵ１８Ａ、ＲＯＭ／ＲＡＭ１８Ｂ、接続制御回路部１８Ｄ、および操作部１８ＧはバスＢ2に接続されている。
【００４９】
ＣＰＵ１８Ａは、ＲＯＭ／ＲＡＭ１８Ｂに格納された制御プログラムに従って各部の動作を制御する他に、操作部１８Ｇから入力された指令に応じて、ＲＯＭ／ＲＡＭ１８Ｂに格納されている表示データや情報等を接続制御回路部１８Ｃに転送したり、ＲＯＭ／ＲＡＭ１８Ｂに格納されている情報を処理して表示データを作成し、これを表ラベル表示部１１ｄ、背ラベル表示部１５ｄ、または接続制御回路部１８Ｃに転送したり、被収納装置１０Ａに対する所定のコマンドを接続制御回路部１８Ｃに転送したりする。
【００５０】
ＲＯＭ／ＲＡＭ１８Ｂは記憶装置であり、上記の制御プログラムが格納される他に、表ラベル表示部１１ｄ、背ラベル表示部１５ｄ、または被収納装置１０Ａに表示させる表示データや情報、各被収納装置１０Ａを識別するＩＤ情報、および各種のコマンド等も格納される。このＲＯＭ／ＲＡＭ１８Ｂへの制御プログラム、表示データや情報、ＩＤ情報、コマンド等の格納は、例えば図示を省略した上位装置により行われる。収納装置２０Ａは、上位装置と有線または無線により通信を行う通信部（図示せず）を有している。なお、ＲＯＭ／ＲＡＭ１８Ｂは、収納装置２０Ａに着脱自在に設けることができる。
【００５１】
接触子１８Ｃは、被収納装置１０Ａの接触子３Ｃと電気的に接続される部材であり、前述した２本の中空円柱状端子金具１７ａ，１７ａ（図２（ｂ）参照）を含んで構成される。接続制御回路１８Ｄはデータ変調機能を有し、ＲＯＭ／ＲＡＭ１８Ｂに格納されている表示データや情報、あるいは指令等のデジタルデータを交流信号に変調して接触子１８Ｃに供給する。電源回路部１８Ｅは、収納装置で使用する任意の電源電圧を作り出して電源ラインＰＬ2に出力し、蓄電池１８Ｆは、例えば着脱自在に収納装置２０Ａに設けられて、電源回路部１８Ｅの電源として機能する。操作部１８Ｇは、ユーザが所望の指令を入力する入力装置として機能する。
【００５２】
次に、図５を参照して、上述の被収納装置１０Ａと収納装置２０Ａとを備えた収納位置検出システム３０Ａの動作を説明する。
【００５３】
図５は、図２（ａ）に示した収納位置検出システム３０Ａの動作を概略的に示すフローチャートである。
【００５４】
図５に示すように、収納位置検出システム３０Ａでは、操作部１８Ｇ（図４参照）から各被収納装置１０Ａの収納位置の検出を指示するコマンド、具体的には各被収納装置１０Ａのページ位置の検出を指示するコマンドがユーザにより入力されると、収納装置２０ＡがステップＳ１〜Ｓ１３のうちの所定のステップを行うと共に各被収納装置１０ＡがステップＳ２１〜Ｓ３６のうちの所定のステップを行って、収納装置２０Ａに綴じられた複数の被収納装置１０Ａそれぞれのページ位置を検出する。
【００５５】
収納装置２０Ａで行われる上記のステップＳ１〜Ｓ１３のうちのステップＳ１では、収納装置２０ＡのＣＰＵ１８Ａが収納位置の検出の開始を指示する収納位置検出開始コマンド、具体的にはページ検出の開始を指示するページ検出開始コマンドを接続制御回路部１８Ｄに書き込み、当該接続制御回路部１８Ｄが所定の信号に変調してページ検出開始コマンドを接触子１８Ｃ（図４参照）に出力する。この信号は、接触子１８Ｃから各被収納装置１０Ａに伝えられる。
【００５６】
続いて、収納装置２０ＡのＣＰＵ１８Ａは、被接触装置１０Ａの総数をカウントするための変数ＭをステップＳ２でクリアする。すなわち、変数Ｍの値を０（ゼロ）にする。なお、「変数Ｍ」は、ＲＯＭ／ＲＡＭ１８Ｂの所定のメモリセルに割り当てられる。また、ステップＳ３で、時間計測のための内蔵タイマー用カウンタをクリアする。すなわち、内蔵タイマー用カウンタのカウント数を０（ゼロ）にする。このカウンタは、クリアされた後においても一定時間（例えば１００ｍ秒）毎にカウントアップする。その後、ステップＳ４に進み、このステップＳ４で被収納装置１０Ａからの応答を待つ。
【００５７】
一方、各被収納装置１０ＡのＣＰＵ３Ａは、収納装置２０Ａから接触子３Ｃ（図４参照）を介して電気信号を受けると動作を開始し、まず、ステップＳ２１において、収納装置２０Ａから受けた電気信号がページコマンドであるか否かを判断する。ここでいう「ページコマンド」とは、上述のページ検出開始コマンドと、収納位置の検出の終了を指示するコマンド、具体的にはページ検出の終了を指示するページ検出終了コマンドと、特定の被収納装置１０Ａでの所定の面の発光素子の発光を指示する発光コマンドとの総称である。
【００５８】
各被収納装置１０Ａの接触子３Ｃ（孔状端子部５）が収納装置２０Ａの接触子１８Ｃ（中空円柱状端子金具１７ａ；図２（ｂ）参照）に接触していることから、個々の被収納装置１０Ａは、収納装置２０Ａから出力され上述の電気信号を接触子３Ｃを介して受け取ることができる。この電気信号を受け取った各被収納装置１０Ａは、当該電気信号をデータＩＦ３Ｄで復調してＣＰＵ３Ａ（図４参照）にて読み取り、ページコマンドであるか否かを判断する。
【００５９】
上記の電気信号がページコマンド以外のコマンドであったときにはステップＳ３３に進んで当該コマンドに従って所定の処理を行い、その後にステップＳ２１に戻る。また、上記の電気信号がページコマンドであったときにはステップＳ２２に進み、このステップＳ２２で受光管理用の変数Ｎに１を書き込むと共に、各被収納装置１０Ａが２個ずつ有している受光素子７ｒ，７ｒ（図３（ｂ）および図３（ｃ）参照）それぞれについてのフラグ変数Ｎ（以下、「受光面フラグ変数Ｎ」という）をクリアする。なお、「受光面フラグ変数Ｎ」は、ＲＯＭ／ＲＡＭ３Ｂ（図４参照）の所定のメモリセルに割り当てられる。上記の受光面フラグ変数Ｎは、受光素子７ｒが受光したときには「１」に設定され、受光していないときには「０」に設定される。
【００６０】
次いでステップＳ２３において、個々の被収納装置１０ＡのＣＰＵ３Ａは、当該被収納装置１０ＡでのＡ面とＢ面とに設定されている２つの受光面フラグ変数Ｎが２つとも「１」になっているか否かを判断する。２つの受光面フラグ変数Ｎの両方が「１」になっていれば当該被収納装置１０Ａは処理を一旦終了する。そうでないときはステップＳ２４に進み、収納装置２０Ａから受けたページコマンドがページ検出終了コマンドであるか否かを判断する。そして、ページ検出終了コマンドであったときには各被収納装置１０Ａは処理を終了し、ページ検出終了コマンドでなかったときにはステップＳ２５に進む。
【００６１】
ステップＳ２５では、上記ページコマンドが発光コマンドであるか否かを個々の被収納装置１０ＡにおけるＣＰＵ３Ａが判断する。このステップＳ２５で発光コマンドであると判断されたときにはステップＳ２６に進んで、当該発光コマンドに含まれているＩＤ情報と自己が保有するＩＤ情報とを個々の被収納装置１０ＡのＣＰＵ３Ａが比較する。
【００６２】
ステップＳ２６で２つのＩＤ情報が一致した被収納装置１０ＡはステップＳ２７に進み、当該被収納装置１０ＡのＣＰＵ３Ａが発光回路部３Ｇ（図４参照）の動作を制御して、２つの発光素子７ｅ，７ｅのうちで発光コマンドに含まれている発光面情報によって特定されるＡ面側またはＢ面側の発光素子７ｅ（図３（ｂ）参照）を発光させる。その後、受光管理用の変数Ｎを１つカウントアップしてステップＳ３４に進む。
【００６３】
なお、上述のステップＳ２５でページコマンドが発光コマンドでない、すなわちページ検出開始コマンドであると判断した各被収納装置１０Ａは、ステップＳ２８に進む。このステップＳ２８では、各被収納装置１０ＡのＣＰＵ３Ａが発光回路部３Ｇの動作を制御して各発光素子７ｅを消灯状態に保つ。
【００６４】
また、上述のステップＳ２６で発光コマンドにて２つのＩＤ情報が一致しなかった各被収納装置１０ＡもステップＳ２８に進み、各被収納装置１０ＡのＣＰＵ３Ａが発光回路部３Ｇの動作を制御して各発光素子７ｅを消灯状態にする。その後、これらの被収納装置１０ＡはステップＳ２９に進み、受光回路部３Ｈからの出力信号をＣＰＵ３Ａが読み取って、個々の被収納装置１０Ａに２個ずつ設けられている受光素子７ｒの中に受光した受光素子７ｒがあるか否かを判断する。受光回路部３Ｈはアナログ／デジタル変換回路を有し、被収納装置１０Ａの両面に配置されている計２つの受光素子７ｒ，７ｒ（図３（ｂ）参照）それぞれでの受光量に応じた大きさのデジタル数値を受光素子７ｒ毎に生成して、上記の出力信号として出力する。
【００６５】
収納装置２０Ａに複数の被収納装置１０Ａを綴じた場合、最も外側（最も上）に綴じられた被収納装置１０Ａでの上面側の受光素子７ｒの上方には発光素子が存在しないので、収納装置２０Ａの表紙部１１（図２（ａ）参照）を閉じた状態では当該受光素子７ｒを含む受光回路部３Ｈからの出力信号が常に「受光していないときのデジタル数値」となって、正確なページ検出ができなくなる。このような不具合を防止するために、収納位置検出システム３０Ａでは、図６に概略的に示すように表紙部１１（図６においては図示せず。図２（ｂ）参照）を開いた状態でページ検出を行う。
【００６６】
図６に示すように、表紙部１１を開いた状態にすれば、固定金具１７ｃの光学窓ＯＷ2と綴じ金具１７ｂの光学窓ＯＷ1（図２（ｂ）参照）とを通じて上記の受光素子７ｒに外光Ｌが照射されるので、当該受光素子７ｒを含む受光回路部３Ｈからの出力信号が「受光したときのデジタル数値」となる。その結果として、最も上に綴じられた被収納装置１０ＡをそのＩＤ情報により特定することが可能になると共に、当該被収納装置１０ＡでのＡ面およびＢ面のどちらの面が上になっているかを面情報により特定することが可能になるので、ページ検出を正確に行うことが可能になる。なお、図６に示す構成部材のうちで図２（ｂ）または図２（ｃ）に示した構成部材と共通するものについては、図２（ｂ）または図２（ｃ）で用いた参照符号と同じ参照符号を付してその説明を省略する。
【００６７】
上述のステップＳ２９で２つの受光素子７ｒ，７ｒの両方が受光していないと判断した被収納装置１０Ａは後述するステップＳ３４に進み、２つの受光素子７ｒ，７ｒの一方が受光していると判断した被収納装置１０ＡはステップＳ３０に進んで、受光していると判断した受光素子７ｒに対応する受光面フラグ変数Ｎが既に「１」になっているか、未だ「１」になっていないかをＣＰＵ３Ａが判断する。そして、既に「１」になっていると判断されたときには本処理を終了し、未だ「１」になっていないと判断されたときにはステップＳ３１に進む。
【００６８】
ステップＳ３１では、該ステップＳ３１に進んだ被収納装置１０ＡのＩＤ情報とステップＳ２９で受光したと判断された受光素子７ｒがＡ面側およびＢ面側のいずれに位置しているかを示す面情報とをＣＰＵ３Ａがステータス情報にまとめて、データＩＦ部３Ｄを介して接触子３Ｃ（図４参照）に送出する。このステータス情報は、接触子３Ｃから収納装置２０Ａの接触子１８Ｃを介してＣＰＵ１８Ａに伝えられる。その後にステップＳ３２に進んで、ステップＳ２９で受光したと判断された受光素子７ｒに対応する受光面フラグ変数Ｎを「１」に変更する。ステップＳ３２が完了すると、ステップＳ２３に進む。
【００６９】
前述したステップＳ２７を行った被収納装置１０Ａ、および前述したステップＳ２９で２つの受光素子７ｒ，７ｒの両方が受光していないと判断した被収納装置１０Ａは、その後にステップＳ３４に進み、受光管理用の変数Ｎが「２」を超えているか否かをＣＰＵ３Ａが判断する。被収納装置１０Ａでの発光が１回であった場合、当該被収納装置１０Ａでの受光管理用の変数は「２」となる。
【００７０】
ステップＳ３４で変数Ｎが２を超えていないと判断した各被収納装置１０Ａは、処理を一旦終了する。また、変数Ｎが２を超えていると判断した被収納装置１０ＡはステップＳ３５に進んでエラー処理を行った後にステップＳ３６に進み、当該被収納装置１０ＡのＩＤ情報とエラー情報とをＣＰＵ３Ａがステータス情報にまとめて、データＩＦ部３Ｄを介して接触子３Ｃに送出する。このステータス情報は、接触子３Ｃから収納装置２０Ａの接触子１８Ｃを介してＣＰＵ１８Ａに伝えられる。上記のステータス情報を送出した被収納装置１０Ａは、その後に処理を一旦終了する。
【００７１】
なお、上記のエラー処理では、例えばＣＰＵ３Ａが発光回路部３Ｇの動作を制御して、両面に搭載されている発光素子７ｅ，７ｅを周期的に点滅させる。エラー処理を行うステップＳ３５を省略して、ステップＳ３４で変数Ｎが２を超えていると判断されたときにはステップＳ３６に進むように構成してもよい。
【００７２】
一方、収納装置２０Ａは、前述したようにステップＳ４で被収納装置１０Ａからの応答を待ち、所定の被収納装置１０Ａが上述のステップＳ３１またはステップＳ３５でステータス情報を送ってくると、このステータス情報がＩＤ情報と面情報との両方を含んだものであるか否かを当該ステップＳ４でＣＰＵ１８Ａが判断する。そして、ＩＤ情報と面情報との両方は含んだものではないと判断されたときには後述するステップＳ１２に進み、ＩＤ情報と面情報との両方を含んだものであると判断されたときにはステップＳ５に進む。
【００７３】
ステップＳ５では、収納装置２０ＡのＲＯＭ／ＲＡＭ１８Ｂ（図４参照）に予め設定されているページ管理領域に上記のＩＤ情報と面情報とをＣＰＵ１８Ａが書き込む。例えば、上記のＩＤ情報と面情報とを送ってきた被収納装置１０ＡのＩＤが「１０Ａ1」で、当該被収納装置１０Ａから送ってきた面情報がＡ面を示す情報であったとすると、第１ページがＩＤ＝１０Ａ1の被収納装置１０ＡのＡ面であることを上記のページ管理領域に書き込む。さらに、第１ページの確定に伴って第２ページも確定するので、第２ページがＩＤ＝１０Ａ1の被収納装置１０ＡのＢ面であることを上記のページ管理領域に書き込む。
【００７４】
続いてステップＳ６に進み、収納装置２０Ａに綴じられている被収納装置１０Ａの総数を計数するための変数Ｍに１を加える処理をＣＰＵ１８Ａが行う。
【００７５】
この後にステップＳ７に進んで、次に発光コマンドを送るべき被収納装置１０ＡのＩＤ情報と面情報とを収納装置２０ＡのＣＰＵ１８Ａが指定し、当該被収納装置１０Ａに宛てた発光コマンドを接触子１８Ｃから各被収納装置１０Ａに一斉に送る。このとき指定されるＩＤ情報は、例えば、前述のステップＳ１で出力したページ検出開始コマンドに応答してＩＤ情報と面情報とを含むステータス情報を送出してきた被収納装置１０Ａ（最も上に綴じられている被収納装置１０Ａ）のＩＤ情報と同じであり、面情報は、当該ＩＤ情報によって特定される被収納装置１０ＡのＡ面およびＢ面のうちで未だ面情報を得ていない面についての面情報である。
【００７６】
なお、図５においては記載を省略しているが、ＣＰＵ１８Ａは、ステップＳ７において時間計測のための内蔵タイマー用カウンタをクリアする処理も行う。前述のように、内蔵タイマー用カウンタは、クリアされた後においても一定時間（例えば１００ｍ秒）毎にカウントアップする。
【００７７】
ＣＰＵ１８Ａは、その後にステップＳ８に進んで、上記のステップＳ７で発光コマンドを送ってから被収納装置１０Ａがステータス情報を送ってくるまでの応答時間を上記のカウンタの計数値を基に計測し、このステップＳ８と並行して、計測した応答時間が事前に指定した時間値を超過したか否かを判断するステップＳ９を行う。ＣＰＵ１８Ａが内蔵するタイマー回路での時間計測動作は、通常、ＣＰＵ１８Ａの動作と並列に行われる。
【００７８】
ステップＳ９で応答時間が上記の時間値を超過していないと判断されたときには前述のステップＳ４に戻って当該ステップＳ４以降を繰り返し、応答時間が上記の時間値を超過したと判断されたときにはステップＳ１０に進んで、被収納装置１０Ａの総数を計測する変数Ｍの値が０（ゼロ）であるか否かを判断する。そして、変数Ｍが０のときには後述するステップＳ１３に進み、変数Ｍが０でないときにはステップＳ１１に進んでページ検索終了コマンドを各被収納装置１０Ａに送り、処理を一旦終了する。
【００７９】
一方、前述したステップＳ４でステータス情報がＩＤ情報と面情報との両方を含んだものではないと判断されたときにはステップＳ１２に進み、当該ステータス情報がＩＤ情報とエラー情報の両方を含んだものであるか否かをＣＰＵ１８Ａが判断する。このステップＳ１２で上記のステータス情報がＩＤ情報とエラー情報の両方を含んだものではないと判断されたときには前述したステップＳ８に進んで当該ステップＳ８以降を行い、上記のステータス情報がＩＤ情報とエラー情報の両方を含んだものであると判断されたときにはステップＳ１３に進んでエラー処理を行ってから処理を一旦終了する。
【００８０】
なお、ステップＳ１３でのエラー処理は、例えば、収納装置２０Ａに発光ダイオード、ブザー、バイブレータ等の報知器を設け、発光ダイオードを点滅ないし点灯させたり、ブザーを鳴動させたり、バイブレータを振動させたりする等、エラーが生じたことをユーザが認識できるように当該報知器を動作させることにより行われる。勿論、所定の被収納装置１０Ａの表示部１にエラーの発生を示すメッセージが表示されるように収納位置検出システム３０Ａを構成することも可能である。
【００８１】
収納装置２０Ａが上述したステップＳ１からステップＳ１１までを行うことにより、当該収納装置２０Ａに収納されている個々の被収納装置１０Ａの相対的な位置関係を各被収納装置１０ＡでのＡ面およびＢ面の相対的な位置も含めて特定することができる。このとき、途中でエラーが生じなければ、全ての被収納装置１０Ａについてその相対的な位置関係が特定されるまで、ステップＳ９からステップＳ４に戻るという動作が繰り返される。ステップＳ７で発光コマンドを出力する際に特定するＩＤ情報および面情報は、収納装置２０Ａに収納されている全ての被収納装置１０Ａを対象にして、無作為に選定することができる。
【００８２】
以上説明した収納位置検出システム３０Ａによれば、収納装置２０Ａに収納されている各被収納装置１０Ａの相対的な位置関係と収納方向（Ａ面およびＢ面の相対的な位置）を当該収納装置２０Ａで検出できるので、複数の被収納装置１０Ａをそれらの並び順や収納方向をユーザが意識することなく収納装置２０Ａに収納しても、各被収納装置１０Ａの収納位置を管理することができる。
【００８３】
また、例えば収納装置２０Ａに搭載したソフトウェアによって所望の被収納装置１０Ａの制御が可能となる。各被収納装置１０Ａが表示部１（図３（ａ）参照）を有しているので、例えば、複数ページに亘るドキュメント画像を各被収納装置１０Ａの綴じ順に従って書き込むことで、電子ブックのような機能を実現できる。
【００８４】
なお、被収納装置１０Ａと収納装置２０Ａとの間での信号の授受をどのような形態の電気信号を用いて行うかは適宜選定可能である。図７（ａ）は、被収納装置１０Ａから収納装置２０Ａに送られる情報の一形態を示す概念図であり、図７（ｂ）は、図７（ａ）に示した情報に対応する電気信号の一例を示す概略図であり、図７（ｃ）は、収納装置２０Ａから被収納装置１０Ａに送られるコマンドの一形態を示す概念図である。
【００８５】
図７（ａ）に示す情報はＤ１〜Ｄ５の５種類のデータにより構成されている。Ｄ１は、「１」と「０」を交互に出力する２３ビット（ｂｉｔ）のデータからなるヘッダーである。Ｄ２は、被収納装置１０ＡのＩＤ情報を表す２５６ビットのデータである。Ｄ３は、ＩＤ情報の終わりとＤ４の始まりとを示すセパレータとして機能する２１ビットのデータである。Ｄ４は、収納装置２０Ａからのコマンドに対応したステータス情報を示す６４ビットのデータである。そしてデータＤ５は、情報の終了を示す２１ビットのデータである。例えば図５に示したステップＳ３１で出力されるステータス情報では、データＤ４の一部として面情報が格納される。当該ステータス情報には、ＩＤ情報や面情報それぞれのデータから生成したパリティデータを付加することもできる。
【００８６】
図７（ｂ）は、図７（ａ）に示した各情報が振幅変調により「０」と「１」の電気信号として出力されることを示している。本例での１ビット情報は６サイクルの搬送波にて構成されている。なお、変調は周波数変調や位相変調で行うこともできる。さらには、収納装置２０Ａからキャリア信号を供給し、被収納装置１０Ａで接触子３Ｃの両端に接続する負荷を制御して変調させる負荷変調で行うこともできる。個々のデータを構成するビット数は上記の限りではない。
【００８７】
図７（ｃ）に示すコマンドはＣ１〜Ｃ５の５種類のデータにより構成されている。Ｃ１は、上述のデータＤ１と同様に２３ビットのデータからなるヘッダーである。Ｃ２は、コマンドを定義する６４ビットのデータである。Ｃ３は、コマンドの終わりとＩＤ情報の始まりとを示すセパレータとして機能する２１ビットのデータである。Ｃ４は、特定の被収納装置１０Ａを指定するＩＤ情報を示す２５６ビットのデータであり、Ｃ５は、コマンドの終了を示す２１ビットのデータである。なお、ＩＤ情報が不要なコマンドについては、上記のＣ３とＣ４とを削除して、Ｃ１、Ｃ２、およびＣ５のデータのみで構成することができる。例えば、図５に示したステップＳ１で出力されるページ検出開始コマンドは、この短いデータ構成にすることができる。
【００８８】
収納装置に収納される被収納装置の中に片面表示しかできない被収納装置が存在する場合には、上述したステータス情報を示すデータＤ４にＡ面もしくはＢ面の表示が不能であることを示す情報を付加させて応答させることができる。この場合は、図５に示したステップＳ５でページ管理領域にＩＤ情報および面情報を書き込むときに、上記表示できない面のページカウントを禁止する。
【００８９】
また、最も上に綴じられている被収納装置における上面の検出は、収納装置の表紙部を開けた状態下では当該被収納装置でのＡ面側の受光素子とＢ面側の受光素子との受光量差が一定値以上になることを利用して行うこともできる。さらには、外光を利用せずに、収納装置の表紙部の裏側に発光素子を設け、最も上に綴じられている被収納装置における上面の検出を検出するにあたっては、表紙部を閉じた状態で当該発光素子から任意の波長の光を被収納装置に照射してもよい。
【００９０】
（実施の形態２）
図８は、本発明の収納位置管理システムの更に他の例を概略的に示す斜視図であり、図９（ａ）および図９（ｂ）は、図８に示した収納位置管理システムにおける被収納装置を概略的に示す斜視図である。
【００９１】
図８において、１１１は底板部、１１２は側壁部、１１３は背板部、１１４は天板部、１１５は傾斜付与部材、１１７は発光素子、１１８Ｃは接触子、１１８Ｃ1，１１８Ｃ2は接触子１１８Ｃを構成する端子部、１２０は収納装置、１３０は収納位置検出システムである。また、図８または図９において、１０２は箱部、１０４は蓋部、１０６は背部、１０３Ｃは接触子、１０３Ｃ1，１０３Ｃ2は接触子１０３Ｃを構成する端子部、１０７は受発光素子ユニット、１１０は被収納装置、ＲＭはリムーバブルメディアである。
【００９２】
図８に示すように、収納装置１２０は底板部１１１と、底板部１１１の長手方向の両端に配置された側壁部１１２，１１２と、これら側壁部１１２，１１２の間に架け渡された背板部１１３と、底板部１１１よりも小形の天板部１１４と、背板部１１３側が低くなるように底板部１１１を傾斜させる傾斜付与部材１１５とを有する棚状を呈しており、底板部１１１の上面が収納部の底面となる。各側壁部１１２における収納部側の表面には発光子１１７が配置されており、背板部１１３における収納部側の表面には、接触子１１８Ｃを構成する２つの端子部１１８Ｃ1，１１８Ｃ2が当該背板部１１３の長手方向に沿って互いに平行に配置されている。収納位置検出システム１３０では、複数の被収納装置１１０が収納装置１２０の底板部１１１の上に一列に整列して収納される。
【００９３】
図９に示すように、各被収納装置１１０は光ディスク等のディスク状のリムーバブルメディアＲＭを収納可能なケース状物であり、箱部１０２と、蓋部１０４と、箱部１０２に連接されて蓋部１０４が開閉自在に取り付けられた背部１０６と、背部１０６の背面に配置されて接触子１０３Ｃを構成する１対の端子部１０３Ｃ1，１０３Ｃ2と、背部１０６での上下面（蓋部１０４側を上面としたときの上面および下面）にそれぞれ配置された受発光素子ユニット１０７とを有している。
【００９４】
これらの被収納装置１１０は、背部１０６の背面が背板部１１３における収納部側の表面に接する向きで収納装置１２０の底板部１１１上に一列に配置され、収納される。このとき、各被収納装置１１０は、端子部１０３Ｃ1，１０３Ｃ2が収納装置１２０の端子部１１８Ｃ1，１１８Ｃ2に接した状態で収納される。背板部１１３側が低くなるように底板部１１１が傾斜しているので、被収納装置１１０を底板部１１１上に載せると、その自重により被収納装置１１０が背板部１１３側に滑動して、端子部１０３Ｃ1，１０３Ｃ2が端子部１１８Ｃ1，１１８Ｃ2に接する。最も外側（最も端）の被収納装置１１０での受発光素子ユニット１０７は、側壁部１１２に設けられている発光素子１１７と互いに対向する。
【００９５】
このような構造を有する収納位置検出システム１３０での被収納装置１１０の構成は、例えば、表示部１、孔状端子部５、および記録制御回路９（図４参照）を設けない以外は実施の形態１で説明した被収納装置１０Ａの構成と同様にすることができる。また、収納装置１２０の構成は、例えば図１０に示す構成とすることができる。
【００９６】
図１０は、上述した収納装置１２０の構成例を示す機能ブロック図である。同図において、１１８は収納位置識別部、１１８ＡはＣＰＵ、１１８ＢはＲＯＭ／ＲＡＭ、１１８Ｃは接触子、１１８Ｄは接続制御回路部、１１８Ｅは電源回路部、１１８Ｆは蓄電池、１１８Ｈは発光回路部、１１８Ｉは通信部、１１９は上位装置、ＰＬ3は電源ライン、Ｂ3はバスである。
【００９７】
図１０に示す構成要素のうち、ＣＰＵ１１８Ａ、ＲＯＭ／ＲＡＭ１１８Ｂ、接触子１１８Ｃ、接続制御回路部１１８Ｄ、電源回路部１１８Ｅ、蓄電池１１８Ｆ、電源ラインＰＬ3、およびバスＢ3それぞれの機能は、図４に示したＣＰＵ１８Ａ、ＲＯＭ／ＲＡＭ１８Ｂ、接触子１８Ｃ、接続制御回路部１８Ｄ、電源回路部１８Ｅ、蓄電池１８Ｆ、電源ラインＰＬ2、またはバスＢ2の機能と同様であるので、ここではその説明を省略する。
【００９８】
上記の発光回路部１１８Ｈは、２つの発光素子１１７（図１０においては図示せず。図８参照）と各発光素子用の駆動回路とを有しており、ＣＰＵ１１８Ａからのコマンドに応じて所定の時期に所定の発光素子１１７を発光させる。個々の発光素子１１７から変調された光を出射させることができるように、発光回路部１１８Ｈには必要に応じて変調回路が設けられる。また、通信部１１８Ｉは、収納装置１２０とパーソナルコンピュータ等の上位装置１１９とを有線または無線により接続するものであり、例えば汎用的に利用されているＵＳＢ（Ｕｎｉｖｅｒｓａｌ  Ｓｅｒｉａｌ  Ｂｕｓ）仕様のインタフェースで構成される。
【００９９】
被収納装置１１０および収納装置１２０がそれぞれ上述の構成を有する収納位置検出システム１３０では、図５を用いて説明した収納位置検出システム３０Ａ（図２）での収納位置の検出と同様の手順で各被収納装置１１０の収納位置を検出することができる。ただし、最初に１つまたは２つの発光素子１１７を発光させて、最も端に位置している被収納装置１１０を特定する。また、収納位置を検出する際のコマンドは、上位装置１１９から通信部１１８Ｉを介して収納装置１２０に送られ、その後に各被収納装置１１０に送られる。
【０１００】
このように構成された収納位置検出システム１３０では、実施の形態１で説明した収納位置検出システム３０，３０Ａ（図１または図２参照）におけるのと同様に、個々の被収納装置１１０の並び順や収納方向（表、裏）をユーザが意識することなく当該被収納装置１１０を収納装置１２０に収納しても、各被収納装置１１０の収納位置を検出してこれらの被収納装置１１０を管理することができる。また、上位装置１１９を有しているので、被収納装置１１０の収納位置および収納方向を特定すること以外に、より複雑な制御やデータベース化等を行い易い。このため、当該収納位置検出システム１３０を用いれば、ＣＤ−ＲＯＭやＤＶＤ−ＲＯＭ等のリムーバブルメディアを入れた被収納装置１１０、ひいてはリムーバブルメディアＲＭ（図８参照）を上位装置により管理する収納ラックを実現することができる。
【０１０１】
（実施の形態３）
図１１は、本発明の収納位置管理システムの更に他の例を概略的に示す斜視図であり、図１２（ａ）は、図１１に示した収納位置管理システムにおける被収納装置を概略的に示す斜視図であり、図１２（ｂ）は図１２（ａ）に示した被収納装置における受発光素子ユニットを概略的に示す断面図である。そして、図１３は、図１１に示した収納位置管理システムにおける収納装置を概略的に示す斜視図である。
【０１０２】
図１１において、１５１は底板部、１５２は側壁部、１５３は背板部、１５８Ｃは接触子、１６０は収納装置、１７０は収納位置管理システムである。また、図１１および図１２（ａ）において、１４１は表示部、１４３Ｃは接触子、１４７は受発光素子ユニット、１５０は被収納装置である。そして、図１２（ｂ）における１４７ｅは発光素子、１４７ｒは受光素子、１４７ｓは遮光帯であり、図１３における１５７は発光素子である。
【０１０３】
図１１および図１３に示すように、収納装置１６０は底板部１５１と、底板部１５１の長手方向の両端に配置された側壁部１５２，１５２と、これら側壁部１５２，１５２の間に架け渡された背板部１５３とを有する棚状を呈しており、底板部１１１の上面が収納部の底面となる。底板部１５１の上面における長手方向端部には、図１３に示すように発光素子１５７が配置されている。また、底板部１５１の上面における幅方向両端部には、図１１および図１３に示すように、接触子１５８Ｃを構成する２つの端子部１５８Ｃ1，１５８Ｃ2が当該底板部１５１の長手方向に沿って互いに平行に配置されている。これら２つの端子部１５８Ｃ1，１５８Ｃ2の距離は、被収納装置１５０の１辺の長さよりも短い。したがって、底板部１５１上に被収納装置１５０を置くことで、端子部１５８Ｃ1，１５８Ｃ2と後述する端子部１４３Ｃ1，１４３Ｃ2とを接触させることができる。図１１に示すように、収納位置検出システム１７０では、複数の被収納装置１５０が底板部１５１の上に一列に整列して収納される。
【０１０４】
一方、各被収納装置１５０は、図１１または図１２（ａ）に示すように正六面体状を呈しており、当該被収納装置１５０の各面には、表示部１４１と、２つの端子部１４３Ｃ1，１４３Ｃ2を有する接触子１４３Ｃと、受発光素子ユニット１４７とが設けられている。被収納装置１５０の各面において互いに対向する辺には互いに異なる端子部１４３Ｃ1，１４３Ｃ2が位置しており、各面の中央部には受発光素子ユニット１４７が配置されている。
【０１０５】
図１２（ｂ）に示すように、個々の受発光素子ユニット１４７は、光透過性を有する受光素子１４７ｒが発光素子１４７ｅの上に積層された構造をしており、発光素子１４７ｅと受光素子１４７ｒとの積層物の周囲には遮光帯１４７ｓが設けられている。発光素子１４７ｅと受光素子１４７ｒとが重なっているので、受光素子１４７ｒでの受光がその下の発光素子１４７ｅからの発光によるものであるのか他の発光素子１４７ｒからの発光によるものであるのかは、受光信号を発光信号でキャンセルすることで識別される。なお、受光素子１４７ｒとしては、例えば特開２００５−２９４３０３号公報に示されている有機光電変換素子を利用することが好適である。
【０１０６】
このような構造を有する収納位置管理システム１７０での被収納装置１５０および収納装置１６０それぞれの構成は、例えば実施の形態１で説明した被収納装置１０Ａまたは収納装置２０Ａの構成と同様にすることができる。勿論、実施の形態２で説明した収納装置１２０におけるように、上位装置と有線または無線により接続されるインタフェース部を収納装置１６０に設け、各種のコマンドや表示データを上位装置から上記のインタフェース部を介して収納装置１６０に送り、その後に各被収納装置１５０に送るように構成することもできる。
【０１０７】
収納位置管理システム１７０での各被収納装置１５０の収納位置の検出は、図５を用いて説明した収納位置検出システム３０Ａ（図２）での収納位置の検出と同様の手順により行うことができる。ただし、最初に発光素子１５７を発光させて、最も外側（最も端）に位置している被収納装置１５０と、該被収納装置１５０において発光素子１５７からの発光を受光した受光素子１４７ｒが配置されている面とを特定し、その後は各被収納装置１５０の整列方向に面している発光素子１４７ｅが発光するように発光コマンドでの発光面情報を設定する。
【０１０８】
被収納装置１５０および収納装置１６０がそれぞれ上述の構成を有する収納位置管理システム１７０では、実施の形態１で説明した収納位置検出システム３０，３０Ａ（図１または図２参照）におけるのと同様に、個々の被収納装置１５０の並び順や収納方向をユーザが意識することなく当該被収納装置１５０を収納装置１６０に収納しても、各被収納装置１５０の収納位置を検出してこれらの被収納装置１５０を管理することができる。
【０１０９】
各被収納装置１５０が六面に表示部１４１を有していることから、各被収納装置１５０の収納状態に合わせて所望の画像を各被収納装置１５０に表示させることができる。このため、従来にない知育用玩具や表示道具としても利用することができる。
【０１１０】
なお、上述した収納位置検出システム１７０は、各被収納装置１５０が収納装置１６０に１次元的に収納されるものであるが、個々の被収納装置が六面に受発光素子ユニット１４７を有していることから、複数の被収納装置１５０を所定形状の収納装置に２次元的に収納させても、上記との同様の技術的効果を奏する収納位置検出システムを構成することができる。各被収納装置の形状は、互いに平行な２つの面を有する形状であれば、正六面体以外の多面体にすることもできる。
【０１１１】
（実施の形態４）
本発明の収納位置検出システムにおける被収納装置および収納装置それぞれでの回路を形成するにあたっては、有機半導体を用いることができる。例えば、被収納装置に表示部を設ける場合には、表示部で用いるスイッチング素子を有機系電界効果トランジスタを用いて構成することにより、当該表示部の薄型化や軽量化が容易になる。
【０１１２】
導電性高分子であるＰＥＤＯＴ（ｐｏｌｙ−ｅｔｈｙｌｅｎｅ  ｄｉｏｘｙ  ｔｈｉｏｐｈｅｎｅ）をインクジェット法で所定形状に描画してソース領域およびドレイン領域を形成し、これらソース領域上およびドレイン領域上に共役系高分子の半導体層を膜厚が３０ｎｍ以下となるようにスピンコート法で形成し、その上に膜厚５００ｎｍ程度の高分子絶縁体層をスピンコート法で形成し、その上にＰＥＤＯＴによりゲート電極を形成すれば、トップゲート構造の薄膜電界効果トランジスタ（ＴＦＴ；Ｔｈｉｎ  Ｆｉｌｍ  Ｔｒａｎｓｉｓｔｏｒ）を実現できる。
【産業上の利用可能性】
【０１１３】
本発明に係る収納位置検出システムは、複数の被収納装置をそれらの並び順や収納方向をユーザが意識することなく収納装置に収納しても、各被収納装置の収納位置を管理することができるものであるので、多数の電子ペーパや多数のリムーバブルメディア等を管理するうえで有用である。
【図面の簡単な説明】
【０１１４】
【図１】本発明の収納位置検出システムの一例を概略的に示す概念図
【図２】（ａ）図１に示した収納位置検出システムの一例を概略的に示す構成図、（ｂ）図２（ａ）に示した収納位置検出システムでの収納装置を概略的に示す斜視図、（ｃ）図２（ｂ）に示した収納装置での綴じ金具を概略的に示す斜視図、（ｄ）図２（ａ）に示した収納位置検出システムでの被収納装置を概略的に示す斜視図
【図３】（ａ）図２（ａ）に示した収納位置検出システムでの被収納装置を概略的に示す平面図、（ｂ）図３（ａ）に示した被収納装置での送受光素子ユニットを概略的に示す平面図、（ｃ）図３（ｂ）に示したIIIｃ−IIIｃ線断面の概略図
【図４】図２（ａ）に示した収納位置検出システムでの被収納装置および収納装置それぞれの構成例を示す機能ブロック図
【図５】図２（ａ）に示した収納位置検出システムの動作を概略的に示すフローチャート
【図６】図２（ａ）に示した収納位置検出システムによりページ検出を行う際の状態を概略的に示す断面図
【図７】（ａ）被収納装置から収納装置に送られる情報の一形態を示す概念図、（ｂ）図７（ａ）に示した情報に対応する電気信号の一例を示す概略図、（ｃ）収納装置から被収納装置に送られるコマンドの一形態を示す概念図
【図８】本発明の収納位置管理システムの他の例を概略的に示す斜視図
【図９】（ａ）図８に示した収納位置管理システムでの被収納装置を概略的に示す斜視図、（ｂ）図８に示した収納位置管理システムでの被収納装置を概略的に示す他の斜視図
【図１０】図８に示した収納位置管理システムでの収納装置の構成例を示す機能ブロック図
【図１１】本発明の収納位置管理システムの更に他の例を概略的に示す斜視図
【図１２】（ａ）図１１に示した収納位置管理システムでの被収納装置を概略的に示す斜視図、（ｂ）図１２（ａ）に示したXIIｂ−XIIｂ線断面の概略図
【図１３】図１１に示した収納位置管理システムでの収納装置を概略的に示す斜視図
【符号の説明】
【０１１５】
１，１４１    表示部
３    主回路部
５    孔状端子部
７    受発光素子ユニット
７ｅ，１４７ｅ    発光素子
７ｒ，１４７ｒ    受光素子
１０ａ〜１０ｎ，１０Ａ，１１０，１５０    被収納装置
１１    表紙部
１７    バインディング部
１７ａ    中空円柱状端子金具
１８    収納位置識別部
２０，２０Ａ，１２０，１６０    収納装置
３０，３０Ａ，１３０，１７０    収納位置検出システム
１１８Ｉ    通信部
１１９    上位装置
ＯＷ1，ＯＷ2    光学窓
【図１】
2009051079.tif 000003
【図２】
2009051079.tif 000004
【図３】
2009051079.tif 000005
【図４】
2009051079.tif 000006
【図５】
2009051079.tif 000007
【図６】
2009051079.tif 000008
【図７】
2009051079.tif 000009
【図８】
2009051079.tif 000010
【図９】
2009051079.tif 000011
【図１０】
2009051079.tif 000012
【図１１】
2009051079.tif 000013
【図１２】
2009051079.tif 000014
【図１３】
2009051079.tif 000015